(57)【特許請求の範囲】
【請求項１】
光ファイバ結合器であって、
駆動機構１と、防護機構２と、調節機構３と、サスペンション機構４と、封止機構５と、
固定フレーム６と、光ファイバー結合器本体７と、濾過機構８と、を含み、
光ファイバーと光ファイバーとの間の取外可能な接続を実行するための器具である前記光
ファイバー結合器本体７は逆Ｙ字状の前記固定フレーム６に固定されており、前記固定フ
レーム６は前記防護機構２の角度を調節するための前記調節機構３に固定されており、前
記調節機構３に前記光ファイバー結合器本体７を防護するための前記防護機構２が接続し
設けられており、前記調節機構３に固定用の前記サスペンション機構４が設けられており
、前記サスペンション機構４が前記調節機構３における前記固定フレーム６と反対側の一
端に設けられており、前記防護機構２の両端に光ファイバーを封止するための前記封止機
構５が設けられており、前記防護機構２の底端にくず濾過又は換気のための前記濾過機構
８が設けられており、前記防護機構２の底端に前記駆動機構１が設けられており、前記駆
動機構１が前記濾過機構８に接続されており、
前記調節機構３は、接続ブロック３１と、伝動軸３２と、収納フレーム３３と、ネジロッ
ド３４と、第２ギア３５と、ラック３６と、を含み、
前記固定フレーム６が前記収納フレーム３３の底端に垂直に固定されており、前記収納フ
レーム３３の内部に回転自在に接続されるように２個の前記伝動軸３２が貫通しており、
前記伝動軸３２の両端に２個の前記接続ブロック３１が対称的に設けられおり、前記伝動
軸３２に前記第２ギア３５が固定されており、前記第２ギア３５が前記収納フレーム３３
の内部に設けられており、前記ラック３６と前記伝動軸３２とが互いに垂直であり、前記
ラック３６と前記第２ギア３５とが噛み合っており、２個の前記第２ギア３５の回転方向
が互いに逆方向であり、端部が正六角形である前記ネジロッド３４が前記収納フレーム３
３および前記ラック３６に貫通し接続されており、前記ネジロッド３４と前記収納フレー
ム３３とが回転自在に接続されており、前記ネジロッド３４と前記ラック３６とがネジ接
続されており、
前記防護機構２は、放熱溝２１と、防護スリーブ２２と、伝動ブロック２３と、を含み、
同一の前記伝動軸３２上における２個の前記接続ブロック３１が同一の前記伝動ブロック
２３に固定されており、前記伝動ブロック２３における前記接続ブロック３１と反対側の
一端に前記光ファイバー結合器本体７を防護するための前記防護スリーブ２２が設けられ
ており、２個の前記防護スリーブ２２同士が互いに接触しており、内部が中空状である前
記防護スリーブ２２に複数個の放熱に用いられる前記放熱溝２１が設けられており、前記
防護スリーブ２２が前記固定フレーム６を挟み込んでおり、
前記濾過機構８は、第１濾過ネット８１と、底板８２と、第２濾過ネット８３と、を含み
、
２個の前記防護スリーブ２２の底端にそれぞれ１個の前記底板８２が設けられており、２
個の前記底板８２にそれぞれ前記第１濾過ネット８１と前記第２濾過ネット８３が設けら
れており、前記第２濾過ネット８３の断面は波紋状に構成されており、
前記駆動機構１は、翼片１１と、案内板１２と、スリーブ筒１３と、駆動軸１４と、第１
ギア１５と、押圧ロッド１６と、接続軸１７と、を含み、
前記第２濾過ネット８３が固定される前記底板８２と、前記案内板１２と、前記駆動軸１
４と、前記接続軸１７と、が同一の前記防護スリーブ２２に設けられており、前記駆動軸
１４および前記接続軸１７が、いずれも前記防護スリーブ２２の間で回転可能に接続され
ており、前記スリーブ筒１３が前記駆動軸１４に固定されており、前記スリーブ筒１３に
その周方向に沿って少なくとも３つの前記翼片１１が設けられており、前記接続軸１７お
よび前記駆動軸１４にそれぞれ1個の前記第１ギア１５が設けられており、２個の前記第
１ギア１５が互いに噛み合っており、前記接続軸１７における前記第１ギア１５の直径が
前記駆動軸１４における前記第１ギア１５の直径より大きく、前記押圧ロッド１６が前記
接続軸１７に垂直に固定されており、前記押圧ロッド１６と前記第２濾過ネット８３とが
接触しており、前記防護スリーブ２２上の前記案内板１２が前記防護スリーブ２２に対し
て傾斜的に設置されている、ことを特徴とする光ファイバ結合器。
【請求項２】
前記封止機構５は、封止シール５１と、案内溝５２と、ピストン５３と、伝動ロッド５４
と、を含み、
一方の前記防護スリーブ２２の両端に滑動可能に接続されるように２個の前記ピストン５
３が設けられており、前記ピストン５３と前記防護スリーブ２２の間の収納空間が前記案
内溝５２に連通しており、前記ピストン５３における前記案内溝５２と反対側の一端に滑
動可能に接続される前記伝動ロッド５４が設けられており、前記伝動ロッド５４が他方の
前記防護スリーブ２２に接触するように設置されており、液体を保存する収納空間を有す
るリング状の前記封止シール５１と前記ピストン５３の前記防護スリーブ２２とが係合し
、前記封止シール５１と前記案内溝５２とが係合している、ことを特徴とする請求項１に
記載の光ファイバ結合器。
【請求項３】
前記結合器のサスペンション機構４は、接続ロッド４１と、位置限定ロッド４２と、押圧
ブロック４３と、ゴムスリーブ４４と、挟みブロック４５と、復帰ばね４６と、を含み、
断面がＵ字状とされる前記接続ロッド４１の一端が前記収納フレーム３３に固定されてお
り、前記圧ブロック４３と前記接続ロッド４１とが回転可能に接続されており、前記押圧
ブロック４３と前記接続ロッド４１との間に前記復帰ばね４６が設けられており、前記位
置限定ロッド４２と前記接続ロッド４１とがネジ接続されており、前記位置限定ロッド４
２と前記圧ブロック４３とが接触しており、前記圧ブロック４３と前記接続ロッド４１に
それぞれ１個の前記挟みブロック４５が設けられており、２個の前記挟みブロック４５の
間に前記ゴムスリーブ４４が設けられている、ことを特徴とする請求項１に記載の光ファ
イバ結合器。
【発明の詳細な説明】
【技術分野】
【０００１】
本発明は、光ファイバ結合器の分野に関し、具体的にはロック手段を備える油圧結合器で
ある。
【背景技術】
【０００２】
光ファイバ結合器は、分岐器、コネクタ、アダプター、光ファイバフランジディスクとも
呼ばれ、光信号の分岐／合路を実現するための要素である。光受動要素領域に属し、電気
通信ネットワーク、有線テレビネットワーク、ユーザ回路システム、エリアネットワーク
においても利用され、光信号出力が異なる光ファイバ間での割り当てまたは組み合わせを
実現するための光デバイスである。異なる光ファイバ面の光ファイバコア領域に隣接する
導波エネルギーの相互交換作用で構成されており、採用された光ファイバタイプによって
多モード光ファイバ、単一モード光ファイバ、偏光保護光カプラなどに分類される。
【０００３】
しかしながら、光ファイバ結合器は山間部の屋外で使用されており、光ファイバは電線柱
間のワイヤに固定されていることが多い、隣接する光ファイバ間で光ファイバ結合器を接
続する場合、光ファイバと光ファイバ結合器の間の密封性が悪くなり、ほこりや雨が接続
部に入り込み、光ファイバ結合器が滑らかなワイヤ上に固定するのが容易ではない。カプ
ラは筐体の内部に設置されており、光ファイバーカプラの点検・維持が不便である。
【発明の概要】
【０００４】
上記の問題を解決するために、以下のロック手段を備える油圧結合器を採用する。
【０００５】
ロック手段を備える油圧結合器は、駆動機構１と、防護機構２と、調節機構３と、サスペ
ンション機構４と、封止機構５と、固定フレーム６と、光ファイバー結合器本体７と、お
よび濾過機構８とを含み、光ファイバーと光ファイバーの間の取外可能な接続を実行する
ための器具である前記光ファイバー結合器本体７は逆Ｙ字状の前記固定フレーム６に固定
されており、前記固定フレーム６は前記防護機構２の角度を調節するための前記調節機構
３に固定されており、前記調節機構３に前記光ファイバー結合器本体７を防護するための
前記防護機構２が接続し設けられており、前記調節機構３に固定用の前記サスペンション
機構４が設けられており、前記サスペンション機構４が前記調節機構３における前記固定
フレーム６と反対側の一端に設けられており、前記防護機構２の両端に光ファイバーを封
止するための前記封止機構５が設けられており、前記防護機構２の底端にくず濾過又はヴ
ェンチレイトゥのための前記濾過機構８が設けられており、前記防護機構２の底端に前記
駆動機構１が設けられており、前記駆動機構１が前記濾過機構８に接続されている。
【０００６】
好ましくは、前記調節機構３は、接続ブロック３１と、伝動軸３２と、収納フレーム３３
と、ネジロッド３４と、第２ギア３５と、およびラック３６とを含み、前記固定フレーム
６が前記収納フレーム３３の底端に垂直に固定されており、前記収納フレーム３３の内部
に回転自在に接続されるように２個の前記伝動軸３２が貫通しており、前記伝動軸３２の
両端に２個の前記接続ブロック３１が対称的に設けられおり、前記伝動軸３２に前記第２
ギア３５が固定されており、前記第２ギア３５が前記収納フレーム３３の内部に設けられ
ており、前記ラック３６と前記伝動軸３２とが互いに垂直であり、前記ラック３６と前記
第２ギア３５とが噛み合っており、２個の前記第２ギア３５の回転方向が逆方向であり、
端部が正六角形である前記ネジロッド３４が前記収納フレーム３３および前記ラック３６
に貫通し接続されており、前記ネジロッド３４と前記収納フレーム３３とが回転自在に接
続されており、前記ネジロッド３４と前記ラック３６とがネジ接続されている。
【０００７】
好ましくは、前記防護機構２は、放熱溝２１と、防護スリーブ２２と、および伝動ブロッ
ク２３とを含み、同一の前記伝動軸３２上における２個の前記接続ブロック３１が同一の
前記伝動ブロック２３に固定されており、前記伝動ブロック２３における前記接続ブロッ
ク３１と反対側の一端に前記光ファイバー結合器本体７を防護するための前記防護スリー
ブ２２が設けられており、２個の前記防護スリーブ２２同士が互いに接触しており、内部
が中空状である前記防護スリーブ２２に複数個の放熱に用いられる前記放熱溝２１が設け
られており、前記防護スリーブ２２が前記固定フレーム６を挟み込んでいる。
【０００８】
好ましくは、前記封止機構５は、封止シール５１と、案内溝５２と、ピストン５３と、お
よび伝動ロッド５４とを含み、一方の前記防護スリーブ２２の両端に滑動可能に接続され
るように２個の前記ピストン５３が設けられており、前記ピストン５３と前記防護スリー
ブ２２の間の収納空間が前記案内溝５２に連通しており、前記ピストン５３における前記
案内溝５２と反対側の一端に滑動可能に接続される前記伝動ロッド５４が設けられており
、前記伝動ロッド５４が他方の前記防護スリーブ２２に接触するように設置されており、
液体を保存する収納空間を有するリング状の前記封止シール５１と、前記ピストン５３の
ある前記防護スリーブ２２とが、係合し、前記封止シール５１と前記案内溝５２とが係合
している。
好ましくは、前記濾過機構８は、第１濾過ネット８１と、底板８２と、および第２濾過ネ
ット８３とを含み、２個の前記防護スリーブ２２の底端にそれぞれ１個の前記底板８２が
設けられており、２個の前記底板８２にそれぞれ前記第１濾過ネット８１と前記第２濾過
ネット８３が設けられており、前記第２濾過ネット８３の断面は波紋状に構成されている
。
【０００９】
好ましくは、前記駆動機構１は、翼片１１と、案内板１２と、スリーブ筒１３と、駆動軸
１４と、第１ギア１５と、押圧ロッド１６と、および接続軸１７とを含み、前記第２濾過
ネット８３が固定される前記底板８２と、前記案内板１２と、前記駆動軸１４と、および
前記接続軸１７とが、同一の前記防護スリーブ２２に設けられており、前記駆動軸１４お
よび前記接続軸１７が、いずれも、前記防護スリーブ２２の間で回転可能に接続されてお
り、前記スリーブ筒１３が前記駆動軸１４に固定されており、前記スリーブ筒１３にその
周方向に沿って少なくとも３つの前記翼片１１が設けられており、前記接続軸１７および
前記駆動軸１４にそれぞれ1個の前記第１ギア１５が設けられており、２個の前記第１ギ
ア１５が互いに噛み合っており、前記接続軸１７における前記第１ギア１５の直径が前記
駆動軸１４における前記第１ギア１５の直径より大きく、前記押圧ロッド１６が前記接続
軸１７に垂直に固定されており、前記押圧ロッド１６と前記第２濾過ネット８３とが接触
しており、前記防護スリーブ２２上の前記案内板１２が傾斜的に設置されている。
【００１０】
好ましくは、前記結合器のサスペンション機構４は、接続ロッド４１と、位置限定ロッド
４２と、押圧ブロック４３と、ゴムスリーブ４４と、挟みブロック４５と、および復帰ば
ね４６とを含み、断面がＵ字状とされる前記接続ロッド４１の一端が前記収納フレーム３
３に固定されており、前記圧ブロック４３と前記接続ロッド４１とが回転可能に接続され
ており、前記押圧ブロック４３と前記接続ロッド４１との間に前記復帰ばね４６が設けら
れており、前記位置限定ロッド４２と前記接続ロッド４１とがネジ接続されており、前記
位置限定ロッド４２と前記圧ブロック４３とが接触しており、前記圧ブロック４３と前記
接続ロッド４１にそれぞれ１個の前記挟みブロック４５が設けられており、２個の前記挟
みブロック４５の間に前記ゴムスリーブ４４が設けられている。
【００１１】
本発明の利点は、先行技術に比べて、以下の有利な効果がある。
（１）光ファイバーと光ファイバーの間の取外可能な接続を行うため器具である前記光フ
ァイバー結合器本体７が、逆Ｙ形の前記固定フレーム６に固定されている。前記固定フレ
ーム６が、前記防護機構２の角度を調節するための前記調節機構３に固定されている。そ
して、前記調節機構３に前記光ファイバー結合器本体７を防護するための前記防護機構２
が接続し設けられている。このように構成されると、前記調節機構３によって前記光ファ
イバー結合器本体７を封止しなくなるように前記防護機構２を駆動することができる。ま
た、前記光ファイバー結合器本体７をくり抜けて前記固定フレーム６にサスペンション設
置することができる。このように構成されると、前記光ファイバー結合器本体７の検査や
メンテナンスをより快適に行うことができる。具体的には、前記防護スリーブ２２内の光
ファイバー結合器本体７をメンテナンスする場合、前記ネジロッド３４を回転させればよ
く、この場合、前記ネジロッド３４によって前記ラック３６を前記ネジロッド３４の一端
と反対側に滑動させるようにネジ駆動して、それで、前記ラック３６が前記収納フレーム
３３の内部で滑動し、前記ラック３６によって両端にある２個の前記第２ギア３５が回転
する。また、２個の前記第２ギア３５の回転方向が逆方向とされるので、２個の前記第２
ギア３５によって２個の前記伝動軸３２を回転させる。前記伝動軸３２によって前記接続
ブロック３１を介して前記防護スリーブ２２を回転させることによって、２個の前記防護
スリーブ２２間の距離を大きくさせて、前記防護スリーブ２２にて前記光ファイバー結合
器本体７を遮蔽しなくなるようにさせる。よって、前記固定フレーム６上の前記光ファイ
バー結合器本体７の検査やメンテナンスは、より快適に行われ得る。検査やメンテナンス
が終了した後、逆方向に前記ネジロッド３４を回転させればよく、この場合、前記ネジロ
ッド３４によって前記ラック３６をネジ駆動して前記ネジロッド３４の一端に向かって滑
動させる。それで、前記ラック３６が前記収納フレーム３３の内部で滑動し、前記ラック
３６によって両端にある２個の前記第２ギア３５が回転する。２個の前記第２ギア３５の
回転方向が逆方向とされるので、２個の前記第２ギア３５によって２個の前記伝動軸３２
を相対的に回転させて、前記伝動軸３２によって前記接続ブロック３１を介して前記防護
スリーブ２２を回転させる。これによって、２個の前記防護スリーブ２２間の距離を相互
抵触させるまで小さくさせて、２個の前記防護スリーブ２２によって前記光ファイバー結
合器本体７を遮蔽するようにさせる。これによって、塵や雨が前記光ファイバー結合器本
体７に触れることを効果的に防止することができる。これによって、前記光ファイバー結
合器本体７の検査やメンテナンスは、より快適に行われ得る。
（２）前記防護機構２の両端に光ファイバーを封止するための前記封止機構５が設けられ
ている。これによって前記防護機構２が閉合したら、前記封止機構５の液体を増圧させて
、前記封止機構５を膨張させて光ファイバーと前記防護機構２とを固定させる。これによ
って、光ファイバーと前記防護機構２の間の接続をより密閉的にさせることができる。こ
のような構成によって、有効的に光ファイバーと前記光ファイバー結合器本体７との接続
位置への雨や塵などの進入を防止することができ、大幅にユーズの安定性を向上できる。
具体的には、光ファイバーの組立て際には、２本の光ファイバーをそれぞれ２個の前記封
止シール５１の中を挿通させて、２個の前記防護スリーブ２２が近寄せると、一方の前記
防護スリーブ２２が他方の前記防護スリーブ２２上の前記伝動ロッド５４に当接させられ
るとなって、その場合、前記伝動ロッド５４の推動によって前記ピストン５３と前記防護
スリーブ２２とを相互に滑動させて、前記案内溝５２の空間を小さくさせる。これによっ
て、前記案内溝５２内の油液が、前記封止シール５１の内部へ押し出され、そして前記封
止シール５１が押し出され膨張させられる。これによって、前記封止シール５１と光ファ
イバーとを緊密に貼合させる。このように前記封止シール５１と前記防護スリーブ２２と
を緊密に貼合させるようにすると、光ファイバーと前記光ファイバー結合器本体７の接続
位置への雨や塵などの侵入を効果的に防止することができ、ユーズの安定性を大幅に向上
できる。
（３）前記防護機構２の底端に前記駆動機構１が設けられている。そして、前記駆動機構
１が前記濾過機構８に接続されている。このように前記駆動機構１を設けていることによ
って、気流の前記防護機構２からの出入りを一方向限定にさせることができ、前記防護機
構２の内部に対する放熱効果をより向上させる。さらに、前記駆動機構１によって前記濾
過機構８を振動駆動できることで、前記濾過機構８の詰まり防止効果を向上させ、前記防
護機構２内への屑などの侵入を防止することができる。具体的には、風がたつと、風で前
記翼片１１を吹き動いて、前記翼片１１によって前記スリーブ筒１３を駆動して前記駆動
軸１４を回転させる。前記翼片１１の回転によって前記第２濾過ネット８３に向かう方向
への気流が生じられる。それで、空気を前記第２濾過ネット８３を介して前記防護スリー
ブ２２の内部へ進入させる。また、前記案内板１２を傾斜的に設置していることによって
、気流を前記第２濾過ネット８３から入った後、前記第１濾過ネット８１から排気させる
ことができるので、気流の一方向限定の出入りにコントロールすることができる。これに
よって、前記防護スリーブ２２内の光ファイバー結合器本体７に対する放熱効果を向上さ
せることができる。また、前記第１濾過ネット８１と前記第２濾過ネット８３が、前記防
護スリーブ２２の底端に設けられているので、前記防護スリーブ２２の内部への雨や塵な
どの侵入を効果的に防止することができる。前記駆動軸１４上の前記第１ギア１５によっ
て前記接続軸１７上の前記第１ギア１５を回転駆動することによって、かつ、前記接続軸
１７における前記第１ギア１５の直径が前記駆動軸１４における前記第１ギア１５の直径
より大きくすることによって、前記接続軸１７によって前記押圧ロッド１６を駆動して、
さらに前記第２濾過ネット８３を駆動してそれを変形させ振動させるような作用力を充分
に確保しているので、有効的に屑などによる前記第２濾過ネット８３の詰まりを防止でき
る。
（４）前記調節機構３に固定用の前記サスペンション機構４が設けられている。そして、
前記サスペンション機構４が、前記調節機構３における前記固定フレーム６と反対側の一
端に設けられている。このように前記サスペンション機構４を設けていることで、結合器
を鋼鉄ワイヤに接続させて、結合器の取付および取外を快適に行うことができる。即ち、
まず前記位置限定ロッド４２を回転させて、前記位置限定ロッド４２と前記圧ブロック４
３とを抵触しないようにさせる。次いでに、前記圧ブロック４３を押圧することによって
、前記圧ブロック４３と前記接続ロッド４１とを回転させるとともに、前記復帰ばね４６
を延長させる。そして、２個の前記挟みブロック４５を展開させて、鋼鉄ワイヤを２個の
前記挟みブロック４５間の前記ゴムスリーブ４４間に配置して、このときに、前記押圧ブ
ロック４３を緩んで、前記復帰ばね４を収縮させて、それによって前記押圧ブロック４３
を前記ゴムスリーブ４４側に回転させる。そして、前記位置限定ロッド４２を回転させる
ことにより、前記位置限定ロッド４２を前記押圧ブロック４３に接触させて、前記押圧ブ
ロック４３を位置限定する。このようにして、２個の前記挟みブロック４３によって確実
的に鋼鉄ワイヤを挟み込むことができ、結合器の固定および取外を容易にさせている。
【図面の簡単な説明】
【００１２】
以下、図面及び実施例とともに、本発明をさらに説明する。
【図１】本発明に係るロック手段を備える油圧結合器の全体構成図である。
【図２】図１に示すＡ箇所の拡大図である。
【図３】図１に示すＢ箇所の拡大図である。
【図４】図１に示す防護構造と調整構造との接続構造を示す概略図である。
【図５】図４に示すＣ箇所の拡大図である。
【図６】図４に示すＤ箇所の拡大図である。
【図７】図４に示すＥ箇所の拡大図である。
【図８】図４に示すＦ箇所の拡大図である。
【図９】図１に示す防護スリーブと封止機構との接続構造の概略図である。
【００１３】
［符号の説明］
駆動機構  １、  防護機構  ２、  調節機構  ３、  サスペンション機構  ４、  封止機
構  ５、  固定フレーム  ６、  光ファイバー結合器本体  ７、  濾過機構  ８、  接続
ブロック  ３１、  伝動軸  ３２、  収納フレーム  ３３、  ネジロッド  ３４、  第２
ギア  ３５、  ラック  ３６、  放熱溝  ２１、  防護スリーブ  ２２、  伝動ブロック
２３、  封止シール  ５１、  案内溝  ５２、  ピストン  ５３、  伝動ロッド  ５４
、  第１濾過ネット  ８１、  底板  ８２、  第２濾過ネット  ８３、  翼片  １１、  
案内板  １２、  スリーブ筒  １３、  駆動軸  １４、  第１ギア  １５、  押圧ロッド
１６、  接続軸  １７、  接続ロッド  ４１、  位置限定ロッド  ４２、  押圧ブロッ
ク  ４３、  ゴムスリーブ  ４４、  挟みブロック  ４５、  復帰ばね  ４６
【発明を実施するための形態】
【００１４】
本発明によって実現される技術的手段、創作的特徴、目的と効果を分かりやすくするため
に、以下では具体的な実施形態に関連して、本発明をさらに説明する。
【００１５】
図１〜９に示されるように、ロック手段を備える油圧結合器は、駆動機構１と、防護機構
２と、調節機構３と、サスペンション機構４と、封止機構５と、固定フレーム６と、光フ
ァイバー結合器本体７と、および濾過機構８とを含んでいる。光ファイバーと光ファイバ
ーの間の取外可能な接続を実行するための器具である前記光ファイバー結合器本体７は、
逆Ｙ字状の前記固定フレーム６に固定されている。前記固定フレーム６は、前記防護機構
２の角度を調節するための前記調節機構３に固定されている。そして、前記調節機構３に
、前記光ファイバー結合器本体７を防護するための前記防護機構２が接続し設けられてい
る。前記調節機構３に固定用の前記サスペンション機構４が設けられている。そして、前
記サスペンション機構４が前記調節機構３における前記固定フレーム６と反対側の一端に
設けられている。前記防護機構２の両端に光ファイバーを封止するための前記封止機構５
が設けられている。前記防護機構２の底端に、くず濾過やヴェンチレイトゥのための前記
濾過機構８が設けられている。前記防護機構２の底端に前記駆動機構１が設けられている
。そして、前記駆動機構１が前記濾過機構８に接続されている。
【００１６】
前記調節機構３は、接続ブロック３１と、伝動軸３２と、収納フレーム３３と、ネジロッ
ド３４と、第２ギア３５と、およびラック３６とを含んでいる。前記固定フレーム６が前
記収納フレーム３３の底端に垂直に固定されている。前記収納フレーム３３の内部に回転
自在に接続されるように２個の前記伝動軸３２が貫通している。前記伝動軸３２の両端に
２個の前記接続ブロック３１が対称的に設けられている。前記伝動軸３２に前記第２ギア
３５が固定されている。前記第２ギア３５が前記収納フレーム３３の内部に設けられてい
る。前記ラック３６と前記伝動軸３２とが互いに垂直されている。前記ラック３６と前記
第２ギア３５とが噛み合っている。２個の前記第２ギア３５の回転方向が逆方向とされて
いる。端部が正六角形とされる前記ネジロッド３４が、前記収納フレーム３３および前記
ラック３６に貫通し接続されている。前記ネジロッド３４と前記収納フレーム３３とが回
転自在に接続されている。そして、前記ネジロッド３４と前記ラック３６とがネジ接続さ
れている。
【００１７】
前記防護機構２は、放熱溝２１と、防護スリーブ２２と、および伝動ブロック２３とを含
んでいる。同一の前記伝動軸３２上における２個の前記接続ブロック３１が、同一の前記
伝動ブロック２３に固定されている。前記伝動ブロック２３における前記接続ブロック３
１と反対側の一端に前記光ファイバー結合器本体７を防護するための前記防護スリーブ２
２が設けられている。２個の前記防護スリーブ２２同士が互いに接触されている。内部が
中空状とされる前記防護スリーブ２２に複数個の放熱に用いられる前記放熱溝２１が設け
られている。そして、前記防護スリーブ２２が、前記固定フレーム６を挟み込んでいる。
光ファイバーと光ファイバーの間の取外可能な接続を行うため器具である前記光ファイバ
ー結合器本体７が、逆Ｙ形の前記固定フレーム６に固定されている。前記固定フレーム６
が、前記防護機構２の角度を調節するための前記調節機構３に固定されている。そして、
前記調節機構３に前記光ファイバー結合器本体７を防護するための前記防護機構２が接続
し設けられている。このように構成されると、前記調節機構３によって前記光ファイバー
結合器本体７を封止しなくなるように前記防護機構２を駆動することができる。また、前
記光ファイバー結合器本体７をくり抜けて前記固定フレーム６にサスペンション設置する
ことができる。このように構成されると、前記光ファイバー結合器本体７の検査やメンテ
ナンスをより快適に行うことができる。具体的には、前記防護スリーブ２２内の光ファイ
バー結合器本体７をメンテナンスする場合、前記ネジロッド３４を回転させればよく、こ
の場合、前記ネジロッド３４によって前記ラック３６を前記ネジロッド３４の一端と反対
側に滑動させるようにネジ駆動して、それで、前記ラック３６が前記収納フレーム３３の
内部で滑動し、前記ラック３６によって両端にある２個の前記第２ギア３５が回転する。
また、２個の前記第２ギア３５の回転方向が逆方向とされるので、２個の前記第２ギア３
５によって２個の前記伝動軸３２を回転させる。前記伝動軸３２によって前記接続ブロッ
ク３１を介して前記防護スリーブ２２を回転させることによって、２個の前記防護スリー
ブ２２間の距離を大きくさせて、前記防護スリーブ２２にて前記光ファイバー結合器本体
７を遮蔽しなくなるようにさせる。よって、前記固定フレーム６上の前記光ファイバー結
合器本体７の検査やメンテナンスは、より快適に行われ得る。検査やメンテナンスが終了
した後、逆方向に前記ネジロッド３４を回転させればよく、この場合、前記ネジロッド３
４によって前記ラック３６をネジ駆動して前記ネジロッド３４の一端に向かって滑動させ
る。それで、前記ラック３６が前記収納フレーム３３の内部で滑動し、前記ラック３６に
よって両端にある２個の前記第２ギア３５が回転する。２個の前記第２ギア３５の回転方
向が逆方向とされるので、２個の前記第２ギア３５によって２個の前記伝動軸３２を相対
的に回転させて、前記伝動軸３２によって前記接続ブロック３１を介して前記防護スリー
ブ２２を回転させる。これによって、２個の前記防護スリーブ２２間の距離を相互抵触さ
せるまで小さくさせて、２個の前記防護スリーブ２２によって前記光ファイバー結合器本
体７を遮蔽するようにさせる。これによって、塵や雨が前記光ファイバー結合器本体７に
触れることを効果的に防止することができる。これによって、前記光ファイバー結合器本
体７の検査やメンテナンスは、より快適に行われ得る。
【００１８】
前記封止機構５は、封止シール５１と、案内溝５２と、ピストン５３と、および伝動ロッ
ド５４とを含んでいる。一方の前記防護スリーブ２２の両端に、滑動可能に接続されるよ
うに２個の前記ピストン５３が設けられている。前記ピストン５３と前記防護スリーブ２
２の間の収納空間が、前記案内溝５２に連通している。前記ピストン５３における前記案
内溝５２と反対側の一端に、滑動可能に接続される前記伝動ロッド５４が設けられている
。前記伝動ロッド５４が他方の前記防護スリーブ２２に接触するように設置されている。
液体を保存する収納空間を有するリング状の前記封止シール５１と、前記ピストン５３の
ある前記防護スリーブ２２とが、係合っている。そして、前記封止シール５１と前記案内
溝５２とが係合っている。前記防護機構２の両端に光ファイバーを封止するための前記封
止機構５が設けられている。これによって前記防護機構２が閉合したら、前記封止機構５
の液体を増圧させて、前記封止機構５を膨張させて光ファイバーと前記防護機構２とを固
定させる。これによって、光ファイバーと前記防護機構２の間の接続をより密閉的にさせ
ることができる。このような構成によって、有効的に光ファイバーと前記光ファイバー結
合器本体７との接続位置への雨や塵などの進入を防止することができ、大幅にユーズの安
定性を向上できる。具体的には、光ファイバーの組立て際には、２本の光ファイバーをそ
れぞれ２個の前記封止シール５１の中を挿通させて、２個の前記防護スリーブ２２が近寄
せると、一方の前記防護スリーブ２２が他方の前記防護スリーブ２２上の前記伝動ロッド
５４に当接させられるとなって、その場合、前記伝動ロッド５４の推動によって前記ピス
トン５３と前記防護スリーブ２２とを相互に滑動させて、前記案内溝５２の空間を小さく
させる。これによって、前記案内溝５２内の油液が、前記封止シール５１の内部へ押し出
され、そして前記封止シール５１が押し出され膨張させられる。これによって、前記封止
シール５１と光ファイバーとを緊密に貼合させる。このように前記封止シール５１と前記
防護スリーブ２２とを緊密に貼合させるようにすると、光ファイバーと前記光ファイバー
結合器本体７の接続位置への雨や塵などの侵入を効果的に防止することができ、ユーズの
安定性を大幅に向上できる。
【００１９】
前記濾過機構８は、第１濾過ネット８１と、底板８２と、および第２濾過ネット８３とを
含んでいる。２個の前記防護スリーブ２２の底端にそれぞれ１個の前記底板８２が設けら
れている。２個の前記底板８２にそれぞれ前記第１濾過ネット８１と前記第２濾過ネット
８３が設けられている。前記第２濾過ネット８３の断面は、波紋状に構成されている。
前記駆動機構１は、翼片１１と、案内板１２と、スリーブ筒１３と、駆動軸１４と、第１
ギア１５と、押圧ロッド１６と、および接続軸１７とを含む。前記第２濾過ネット８３が
固定される前記底板８２と、前記案内板１２、前記駆動軸１４、および前記接続軸１７と
が、同一の前記防護スリーブ２２に設けられている。前記駆動軸１４および前記接続軸１
７が、いずれも、前記防護スリーブ２２の間で回転可能に接続されている。前記スリーブ
筒１３が前記駆動軸１４に固定されている。前記スリーブ筒１３にその周方向に沿って少
なくとも３つの前記翼片１１が設けられている。前記接続軸１７および前記駆動軸１４上
で、それぞれ1個の前記第１ギア１５が設けられている。２個の前記第１ギア１５が互い
に噛み合っている。前記接続軸１７における前記第１ギア１５の直径が、前記駆動軸１４
における前記第１ギア１５の直径より大きい。前記押圧ロッド１６が前記接続軸１７に垂
直に固定されている。前記押圧ロッド１６と前記第２濾過ネット８３とが接触されている
。そして、前記防護スリーブ２２上の前記案内板１２が傾斜的に設置されている。前記防
護機構２の底端に、くずの濾過や、ヴェンチレイトゥのための前記濾過機構８が設けられ
ている。前記防護機構２の底端に前記駆動機構１が設けられている。そして、前記駆動機
構１が前記濾過機構８に接続されている。このように前記駆動機構１を設けていることに
よって、気流の前記防護機構２からの出入りを一方向限定にさせることができ、前記防護
機構２の内部に対する放熱効果をより向上させる。さらに、前記駆動機構１によって前記
濾過機構８を振動駆動できることで、前記濾過機構８の詰まり防止効果を向上させ、前記
防護機構２内への屑などの侵入を防止することができる。具体的には、風がたつと、風で
前記翼片１１を吹き動いて、前記翼片１１によって前記スリーブ筒１３を駆動して前記駆
動軸１４を回転させる。前記翼片１１の回転によって前記第２濾過ネット８３に向かう方
向への気流が生じられる。それで、空気を前記第２濾過ネット８３を介して前記防護スリ
ーブ２２の内部へ進入させる。また、前記案内板１２を傾斜的に設置していることによっ
て、気流を前記第２濾過ネット８３から入った後、前記第１濾過ネット８１から排気させ
ることができるので、気流の一方向限定の出入りにコントロールすることができる。これ
によって、前記防護スリーブ２２内の光ファイバー結合器本体７に対する放熱効果を向上
させることができる。また、前記第１濾過ネット８１と前記第２濾過ネット８３が、前記
防護スリーブ２２の底端に設けられているので、前記防護スリーブ２２の内部への雨や塵
などの侵入を効果的に防止することができる。前記駆動軸１４上の前記第１ギア１５によ
って前記接続軸１７上の前記第１ギア１５を回転駆動することによって、かつ、前記接続
軸１７における前記第１ギア１５の直径が前記駆動軸１４における前記第１ギア１５の直
径より大きくすることによって、前記接続軸１７によって前記押圧ロッド１６を駆動して
、さらに前記第２濾過ネット８３を駆動してそれを変形させ振動させるような作用力を充
分に確保しているので、有効的に屑などによる前記第２濾過ネット８３の詰まりを防止で
きる。
【００２０】
前記結合器のサスペンション機構４は、接続ロッド４１と、位置限定ロッド４２と、押圧
ブロック４３と、ゴムスリーブ４４と、挟みブロック４５と、および復帰ばね４６とを含
んでいる。断面がＵ字状とされる前記接続ロッド４１の一端が前記収納フレーム３３に固
定されている。前記圧ブロック４３と前記接続ロッド４１とが回転可能に接続されている
。前記押圧ブロック４３と前記接続ロッド４１との間に前記復帰ばね４６が設けられてい
る。前記位置限定ロッド４２と前記接続ロッド４１とがネジ接続されている。前記位置限
定ロッド４２と前記圧ブロック４３とが接触されている。前記圧ブロック４３と前記接続
ロッド４１にそれぞれ１個の前記挟みブロック４５が設けられている。２個の前記挟みブ
ロック４５の間に前記ゴムスリーブ４４が設けられている。前記調節機構３に固定用の前
記サスペンション機構４が設けられている。そして、前記サスペンション機構４が、前記
調節機構３における前記固定フレーム６と反対側の一端に設けられている。このように前
記サスペンション機構４を設けていることで、結合器を鋼鉄ワイヤに接続させて、結合器
の取付および取外を快適に行うことができる。即ち、まず前記位置限定ロッド４２を回転
させて、前記位置限定ロッド４２と前記圧ブロック４３とを抵触しないようにさせる。次
いでに、前記圧ブロック４３を押圧することによって、前記圧ブロック４３と前記接続ロ
ッド４１とを回転させるとともに、前記復帰ばね４６を延長させる。そして、２個の前記
挟みブロック４５を展開させて、鋼鉄ワイヤを２個の前記挟みブロック４５間の前記ゴム
スリーブ４４間に配置して、このときに、前記押圧ブロック４３を緩んで、前記復帰ばね
４を収縮させて、それによって前記押圧ブロック４３を前記ゴムスリーブ４４側に回転さ
せる。そして、前記位置限定ロッド４２を回転させることにより、前記位置限定ロッド４
２を前記押圧ブロック４３に接触させて、前記押圧ブロック４３を位置限定する。このよ
うにして、２個の前記挟みブロック４３によって確実的に鋼鉄ワイヤを挟み込むことがで
き、結合器の固定および取外を容易にさせている。
【００２１】
使用時において、まず前記位置限定ロッド４２を回転させて、前記位置限定ロッド４２と
前記圧ブロック４３とを抵触しないようにさせる。次いでに、前記圧ブロック４３を押圧
することによって、前記圧ブロック４３と前記接続ロッド４１とを回転させるとともに、
前記復帰ばね４６を延長させる。そして、２個の前記挟みブロック４５を展開させて、鋼
鉄ワイヤを２個の前記挟みブロック４５間の前記ゴムスリーブ４４間に配置して、このと
きに、前記押圧ブロック４３を緩んで、前記復帰ばね４を収縮させて、それによって前記
押圧ブロック４３を前記ゴムスリーブ４４側に回転させる。そして、前記位置限定ロッド
４２を回転させることにより、前記位置限定ロッド４２を前記押圧ブロック４３に接触さ
せて、前記押圧ブロック４３を位置限定する。このようにして、２個の前記挟みブロック
４３によって確実的に鋼鉄ワイヤを挟み込むことができ、結合器の固定および取外を容易
にさせている。前記防護スリーブ２２内の光ファイバー結合器本体７をメンテナンスする
場合、前記ネジロッド３４を回転させればよく、この場合、前記ネジロッド３４によって
前記ラック３６を前記ネジロッド３４の一端と反対側に滑動させるようにネジ駆動して、
それで、前記ラック３６が前記収納フレーム３３の内部で滑動し、前記ラック３６によっ
て両端にある２個の前記第２ギア３５が回転する。また、２個の前記第２ギア３５の回転
方向が逆方向とされるので、２個の前記第２ギア３５によって２個の前記伝動軸３２を回
転させる。前記伝動軸３２によって前記接続ブロック３１を介して前記防護スリーブ２２
を回転させることによって、２個の前記防護スリーブ２２間の距離を大きくさせて、前記
防護スリーブ２２にて前記光ファイバー結合器本体７を遮蔽しなくなるようにさせる。よ
って、前記固定フレーム６上の前記光ファイバー結合器本体７の検査やメンテナンスは、
より快適に行われ得る。検査やメンテナンスが終了した後、逆方向に前記ネジロッド３４
を回転させればよく、この場合、前記ネジロッド３４によって前記ラック３６をネジ駆動
して前記ネジロッド３４の一端に向かって滑動させる。それで、前記ラック３６が前記収
納フレーム３３の内部で滑動し、前記ラック３６によって両端にある２個の前記第２ギア
３５が回転する。２個の前記第２ギア３５の回転方向が逆方向とされるので、２個の前記
第２ギア３５によって２個の前記伝動軸３２を相対的に回転させて、前記伝動軸３２によ
って前記接続ブロック３１を介して前記防護スリーブ２２を回転させる。これによって、
２個の前記防護スリーブ２２間の距離を相互抵触させるまで小さくさせて、２個の前記防
護スリーブ２２によって前記光ファイバー結合器本体７を遮蔽するようにさせる。これに
よって、塵や雨が前記光ファイバー結合器本体７に触れることを効果的に防止することが
できる。これによって、前記光ファイバー結合器本体７の検査やメンテナンスは、より快
適に行われ得る。光ファイバーの組立て際には、２本の光ファイバーをそれぞれ２個の前
記封止シール５１の中を挿通させて、２個の前記防護スリーブ２２が近寄せると、一方の
前記防護スリーブ２２が他方の前記防護スリーブ２２上の前記伝動ロッド５４に当接させ
られるとなって、その場合、前記伝動ロッド５４の推動によって前記ピストン５３と前記
防護スリーブ２２とを相互に滑動させて、前記案内溝５２の空間を小さくさせる。これに
よって、前記案内溝５２内の油液が、前記封止シール５１の内部へ押し出され、そして前
記封止シール５１が押し出され膨張させられる。これによって、前記封止シール５１と光
ファイバーとを緊密に貼合させる。このように前記封止シール５１と前記防護スリーブ２
２とを緊密に貼合させるようにすると、光ファイバーと前記光ファイバー結合器本体７の
接続位置への雨や塵などの侵入を効果的に防止することができ、ユーズの安定性を大幅に
向上できる。風がたつと、風で前記翼片１１を吹き動いて、前記翼片１１によって前記ス
リーブ筒１３を駆動して前記駆動軸１４を回転させる。前記翼片１１の回転によって前記
第２濾過ネット８３に向かう方向への気流が生じられる。それで、空気を前記第２濾過ネ
ット８３を介して前記防護スリーブ２２の内部へ進入させる。また、前記案内板１２を傾
斜的に設置していることによって、気流を前記第２濾過ネット８３から入った後、前記第
１濾過ネット８１から排気させることができるので、気流の一方向限定の出入りにコント
ロールすることができる。これによって、前記防護スリーブ２２内の光ファイバー結合器
本体７に対する放熱効果を向上させることができる。また、前記第１濾過ネット８１と前
記第２濾過ネット８３が、前記防護スリーブ２２の底端に設けられているので、前記防護
スリーブ２２の内部への雨や塵などの侵入を効果的に防止することができる。前記駆動軸
１４上の前記第１ギア１５によって前記接続軸１７上の前記第１ギア１５を回転駆動する
ことによって、かつ、前記接続軸１７における前記第１ギア１５の直径が前記駆動軸１４
における前記第１ギア１５の直径より大きくすることによって、前記接続軸１７によって
前記押圧ロッド１６を駆動して、さらに前記第２濾過ネット８３を駆動してそれを変形さ
せ振動させるような作用力を充分に確保できる。
【００２２】
以上述べたように、本発明のより良い具体的な実施形態のみであり、本発明の保護範囲は
これに限定されるものではない。本発明の技術分野に精通している技術者は、本発明が開
示した技術範囲内にあり、本発明の技術案及びその改善の構想に従って、同等に代替また
は変更される本発明の保護範囲内に含まれるべきであると理解すべきである。
【要約】      （修正有）【解決手段】ロック手段を備える油圧結合器は、駆動機構１と、防護機構２と、調節機構３と、サスペンション機構４と、封止機構５と、固定フレームと、光ファイバー結合器本体と、および濾過機構とを含み、光ファイバーと光ファイバーの間の取外可能な接続を実行するための器具である前記光ファイバー結合器本体は逆Ｙ字状の前記固定フレームに固定されており、前記固定フレームは防護機構２の角度を調節するための調節機構３に固定されており、調節機構３に前記光ファイバー結合器本体を防護するための防護機構２が接続し設けられており、調節機構３に固定用のサスペンション機構４が設けられており、防護機構２の両端に光ファイバーを封止するための封止機構５が設けられている。【効果】このように構成されると、光ファイバと前記光ファイバ結合器の間の密封性を良くしながら、前記光ファイバー結合器本体の検査やメンテナンスをより快適に行うことができる。【選択図】図１【図１】
0006926363.tif 000002
【図２】
0006926363.tif 000003
【図３】
0006926363.tif 000004
【図４】
0006926363.tif 000005
【図５】
0006926363.tif 000006
【図６】
0006926363.tif 000007
【図７】
0006926363.tif 000008
【図８】
0006926363.tif 000009
【図９】
0006926363.tif 000010